(57)【要約】      （修正有）【課題】ストレッチ効果を有する歩行運動機器の改良構造を提供する。【解決手段】本発明のストレッチ効果を有する歩行運動機器の改良構造は、長方形板段１１及び２つの側板段１２を有し、大方十字型を呈するベース１により２つの上端にシャフト８が設置される支持金具７が２つの側板段から上に向けて延伸され、前段の第二スロット９３にシャフトが挿入される２つのペダルセット９の前段が独立して設置され、ユーザーが踏み板を使用してペダルセットを踏むことにより駆動輪セット４が反時計回りまたは時計回りに回転を行うと、駆動軸６が偏心するように設置され、各駆動輪セットが駆動されて回転を行い、シャフト及び各ペダルセットが組み合わせられる第一スロット９２及び第二スロットの設置により、ペダルセットが前後方向に移動を行う際に、第二スロットにより移動空間が提供される。【選択図】図１
2019000648.tif 000002
【特許請求の範囲】
【請求項１】
ベースと、
ベースの長方形板段の一端から上に向けて延設される第一支持部材と、
前記ベースの前記長方形板段の中段から上に向けて延設される第二支持部材と、
前記第一支持部材に枢動可能に連結される駆動輪セットと、
前記第二支持部材に枢動可能に連結されると共に前記駆動輪セットに相互に噛合され、前記駆動輪セットにより駆動されて回転を行う慣性輪セットと、
前記駆動輪セットの両側からそれぞれ外に向けて延設される２本の駆動軸があって、各前記駆動軸は偏心して設置され、前記２本の駆動軸の軸方向延伸線は前記駆動輪セットの直径の両端に位置されると共に対応し合うように設けられること、
前記ベースの前記長方形板段の両側にそれぞれ設置される２つのペダルセットがあって、前記ペダルセットの底部の後側は対応する前記駆動軸に滑動するように連結されること、
前記ベースの上方に覆設され、前記第一支持部材、前記第二支持部材、前記駆動輪セット、及び前記慣性輪セットを被覆させるカバーを備えること、
ベースは、長方形板段及び２つの側板段を有し、前記２つの側板段は前記長方形板段の一部分の両側から外に向けて延設され、前記２つの側板段からそれぞれ上に向けて２つの支持金具が延設されること、
前記２つの支持金具の上段にそれぞれ貫設される２つのシャフトが設けられ、各前記シャフトの軸方向は前記長方形板段の長さ方向に垂直になり、前記シャフトの両端は対応する前記支持金具からそれぞれ外に向けて延出されること、
各前記ペダルセットの底部の前側は対応するシャフトの突出する両端に滑動するように連結されることを特徴とする歩行運動機器の改良構造。
【請求項２】
前記第一支持部材は２枚の第一支持板及び第一枢軸を備え、前記２枚の第一支持板は相互に間隔を空けて設置され、前記第一枢軸は前記２枚の第一支持板を貫通させ、前記第一枢軸には前記駆動輪セットの軸心が枢着されることを特徴とする請求項１に記載のストレッチ効果を有する歩行運動機器の改良構造。
【請求項３】
前記第二支持部材は２枚の第二支持板及び第二枢軸を備え、前記２枚の第二支持板は相互に間隔を空けて設置され、前記第二枢軸は前記２枚の第二支持板を貫通させ、前記第二枢軸には前記慣性輪セットの軸心が枢着されることを特徴とする請求項１又は２に記載のストレッチ効果を有する歩行運動機器の改良構造。
【請求項４】
前記駆動輪セットは駆動輪及び２枚の回転板を備え、前記駆動輪は前記２枚の第一支持板の間に軸着され、前記２枚の回転板は前記第一支持部材の両側にそれぞれ軸着され、前記２本の駆動軸は前記２枚の回転板にそれぞれ偏心するように連結され、前記カバーは前記２枚の回転板に対応する箇所に窓部が設けられ、対応する前記回転板がそれぞれ外に露出されるように設置されることを特徴とする請求項１ないし３いずれかに記載のストレッチ効果を有する歩行運動機器の改良構造。
【請求項５】
各前記ペダルセットはボード部と、第一スロットと、第二スロットとを有し、前記第一スロットは前記ボード部の底部の前側に設置され、前記第二スロットは前記ボード部の底部の後側に設置され、前記第一スロットには対応する前記駆動軸が設置され、前記第二スロットには対応する前記シャフトの両端が設置されることを特徴とする請求項１ないし４いずれかに記載のストレッチ効果を有する歩行運動機器の改良構造
【請求項６】
各前記支持金具の上端は前記長方形板段に向ける長さ方向が弧形凸状構造を呈することを特徴とする請求項１ないし５いずれかに記載のストレッチ効果を有する歩行運動機器の改良構造。
【発明の詳細な説明】
【技術分野】
【０００１】
本発明は、ストレッチ効果を有する歩行運動機器の機構の安全性に関し、更に詳しくは、毎回ステップ運動を行う際に、踏み板の前段が共に強制的に跳ね上げられると共に後方の踵が相対的に圧下される脚のストレッチの過程で、ペダルセットの前段及び後段の端縁がベースを地面に設置させる固定部材から脱離され、安全に使用可能にする保護作用に関する。
【背景技術】
【０００２】
一般的な脚のトレーニング機構は、平台型ランニングマシンではユーザーの膝や足首が震動や圧力を受ける問題以外、よくある他の形式として、ステッパー、クロストレーナー（俗称エリプティカルトレーナー、スペースウォーカー等）及びフィットネスバイク等がある。
【先行技術文献】
【特許文献】
【０００３】
【特許文献１】台湾特許出願公開第201731563号公報
【発明の開示】
【発明が解決しようとする課題】
【０００４】
前述した従来の技術では、人の歩行形態に適したクロストレーナー構造上でユーザーが歩き続けることにより身体を持ち上げ、膝を曲げる運動を行える。フィットネスバイクとの両者の共通する特徴として、ユーザーの脚と踏み板との挟角がほぼ同じであり、但し、踏み板の前端を跳ね起こして後方の踵を相対的に圧下させるという、ふくらはぎのストレッチ運動効果は得られない。
【０００５】
さらに、前述のクロストレーナーは立って使用し、両手で握ってバランスを保たねばならないという欠点が存在する。クロストレーナーは、構造が複雑であり、体積が大きく、高価であるため、通常は専門のジムに設置され、一般家庭では使用されない。フィットネスバイクは座った姿勢で使用するが、但し、同様に構造が複雑であり、体積が大きく、やや高価である等の欠点があり、個人用に一般家庭で広く使用するには不向きであり、体積が小さくて低価格なステッパー構造には及ばなかった。
【０００６】
脚のストレッチについて、特許文献１では、例えば、ストレッチ効果を有する歩行運動構造こと発明が記載されている。小型化されてストレッチ効果を確実に達成させ、従来の各種ルームランナーや歩行運動機器、クロストレーナー等の限界を突破するが、特許文献１の具体的な実施構造では、以下の欠点が存在し、改善が待たれている。
【０００７】
特許文献１のストレッチ効果を有する歩行運動機器の改良構造１３は主にベース１３１と、支持部材１３２と、駆動輪セット１３３と、慣性輪セット１３４と、２つのペダルセット１３５と、カバー１３６とを備える（図９参照）。
【０００８】
ベース１３１は、ほぼＩ字型を呈し、前横ロッド１３１１と、接合ロッド１３１２と、後横ロッド１３１３とを有する。接合ロッド１３１２の両端は前横ロッド１３１１及び後横ロッド１３１３にそれぞれ連結され、接合ロッド１３１２は前横ロッド１３１１に対して垂直になり、接合ロッド１３１２は後横ロッド１３１３に対しても垂直になる。
【０００９】
このような設置により、前横ロッド１３１１及び後横ロッド１３１３が外に拡げられるように設置され、前記前側及び後側の機構の運動位置が占拠され、使用及び運搬に影響が出るほか、ペダルセット１３５が駆動輪セット１３３及び慣性輪セット１３４の駆動により制御され、連続的に昇降を行う。踏み続ける操作を行っているとペダルセット１３５の前端部及び後端部の底縁が下降位置に来た際に、前横ロッド１３１１及び後横ロッド１３１３の上縁に近接して連続的に開閉される可動挟み口がそれぞれ形成され、ユーザーの手足や近くにいる人や物等が挟まれて怪我をするおそれがあるなど、安全性に課題があった。
【００１０】
特許文献１のストレッチ効果を有する歩行運動機器の改良構造１３の支持部材１３２は第一支持部材１３２１と、シャフト１３２２と、２つのスリーブ１３２３とを有する。第一支持部材１３２１はベース１３１の前端の近隣箇所から上に向けて延設され、シャフト１３２２は第一支持部材１３２１のベース１３１から離間する一端を貫通させて相互に垂直になり、２つのスリーブ１３２３はシャフト１３２２の両端の近隣箇所に回転可能に覆設されると共に第一支持部材１３２１の左右両側それぞれに位置される。
【００１１】
このような構造のシャフト１３２２及びスリーブ１３２３は支持部材２１の両側から外に向けて突出されるように横設され、ペダルセット１３５の前端部が進入して覆設される際に外端部が重いレバーのような状態が形成され、シャフト１３２２が壊れやすくなる。また、ペダルセット１３５とカバー１３６の側面との間に横に配列される左右の各一段のシャフト１３２２及びスリーブ１３２３を有し、同様にユーザーの手足や近くにいる人や物等が挟まれて怪我をしたり、破壊されるなど、安全性に課題があった。
【００１２】
そして、駆動輪セット１３３は第二支持部材１３３１と、駆動ロッド１３３２と、駆動ギア１３３３と、２本の連接棒１３３４と、２本の回転ロッド１３３５とを有する。第二支持部材１３３１はベース１３１の後端の近隣箇所から上に向けて延設されると共に第一支持部材１３２１とは間隔を空けて設置される。駆動ロッド１３３２は第二支持部材１３３１のベース１３１から離間する一端を貫通させると共に駆動ギア１３３３の中心箇所も貫通させ、駆動ロッド１３３２及び駆動ギア１３３３が相互に連動する。駆動ロッド１３３２は第二支持部材１３３１に垂直になると共にシャフト１３２２に平行する。２本の連接棒１３３４は駆動ロッド１３３２の両端にそれぞれ枢動可能に連接されると共に駆動ギア１３３３の左右両側に位置され、各連接棒１３３４は駆動ロッド１３３２の対応端箇所から外に向けて反対方向に延設される。２本の回転ロッド１３３５は対応する各連接棒１３３４の駆動ロッド１３３２から離間する一端を回転可能に貫通させ、各回転ロッド１３３５は駆動ロッド１３３２に相互に平行する。
【００１３】
連接棒１３３４は駆動ロッド１３３２により駆動されて回転を行うと、独立片状の遠心力の作用により、長期間頻繁に使用された後には駆動ロッド１３３２の回転の均等度に影響が現れた。
【００１４】
そこで、本発明者は上記の欠点が改善可能と考え、鋭意検討を重ねた結果、合理的設計で上記の課題を効果的に改善する本発明の提案に到った。
【００１５】
本発明はこうした状況に鑑みてなされたものであり、その目的は、ストレッチ効果を有する歩行運動機器の改良構造技術を提供することにある。
【課題を解決するための手段】
【００１６】
上記課題を解決するために、本発明のある態様のストレッチ効果を有する歩行運動機器の改良構造は、ベースと、ベースの長方形板段の一端から上に向けて延設される第一支持部材と、前記ベースの前記長方形板段の中段から上に向けて延設される第二支持部材と、前記第一支持部材に枢動可能に連結される駆動輪セットと、前記第二支持部材に枢動可能に連結されると共に前記駆動輪セットに相互に噛合され、前記駆動輪セットにより駆動されて回転を行う慣性輪セットと、前記駆動輪セットの両側からそれぞれ外に向けて延設される２本の駆動軸があって、各前記駆動軸は偏心して設置され、前記２本の駆動軸の軸方向延伸線は前記駆動輪セットの直径の両端に位置されると共に対応し合うように設けられること、前記ベースの前記長方形板段の両側にそれぞれ設置される２つのペダルセットがあって、前記ペダルセットの底部の後側は対応する前記駆動軸に滑動するように連結されること、前記ベースの上方に覆設され、前記第一支持部材、前記第二支持部材、前記駆動輪セット、及び前記慣性輪セットを被覆させるカバーを備えること、ベースは、長方形板段及び２つの側板段を有し、前記２つの側板段は前記長方形板段の一部分の両側から外に向けて延設され、前記２つの側板段からそれぞれ上に向けて２つの支持金具が延設されること、前記２つの支持金具の上段にそれぞれ貫設される２つのシャフトが設けられ、各前記シャフトの軸方向は前記長方形板段の長さ方向に垂直になり、前記シャフトの両端は対応する前記支持金具からそれぞれ外に向けて延出されること、各前記ペダルセットの底部の前側は対応するシャフトの突出する両端に滑動するように連結されることを特徴とする歩行運動機器の改良構造である。
【００１７】
前記第一支持部材は２枚の第一支持板及び第一枢軸を備え、前記２枚の第一支持板は相互に間隔を空けて設置され、前記第一枢軸は前記２枚の第一支持板を貫通させ、前記第一枢軸には前記駆動輪セットの軸心が枢着されることを特徴とする。
【００１８】
前記第二支持部材は２枚の第二支持板及び第二枢軸を備え、前記２枚の第二支持板は相互に間隔を空けて設置され、前記第二枢軸は前記２枚の第二支持板を貫通させ、前記第二枢軸には前記慣性輪セットの軸心が枢着されることを特徴とする。
【００１９】
前記駆動輪セットは駆動輪及び２枚の回転板を備え、前記駆動輪は前記２枚の第一支持板の間に軸着され、前記２枚の回転板は前記第一支持部材の両側にそれぞれ軸着され、前記２本の駆動軸は前記２枚の回転板にそれぞれ偏心するように連結され、前記カバーは前記２枚の回転板に対応する箇所に窓部が設けられ、対応する前記回転板がそれぞれ外に露出されるように設置されることを特徴とする。
【００２０】
各前記ペダルセットはボード部と、第一スロットと、第二スロットとを有し、前記第一スロットは前記ボード部の底部の前側に設置され、前記第二スロットは前記ボード部の底部の後側に設置され、前記第一スロットには対応する前記駆動軸が設置され、前記第二スロットには対応する前記シャフトの両端が設置されることを特徴とする。
【００２１】
各前記支持金具の上端は前記長方形板段に向ける長さ方向が弧形凸状構造を呈することを特徴とする。
【００２２】
本発明は、主に長方形板段及び２つの側板段を有し、十字型を呈するベースにより２つの上端にシャフトが設置される支持金具が２つの側板段から上に向けて延伸され、前段の第二スロットにシャフトが挿入される２つのペダルセットの前段が独立して設置される。ユーザーが踏み板を使用してペダルセットを踏むと、ユーザーが自然に歩行するように踏み板を踏むことで駆動輪セット及び内設される１組の慣性輪セットが同期で回転を行い、同期で回転することにより形成される加速作用により、駆動ギアが回転力を増加させることにより力を掛けるユーザーの負担が軽減されて駆動輪セットが継続的に同じ方向に回転を行い、２つのペダルセットが連続的に昇降を行い、スムーズに踏み続ける操作を達成させる。
【００２３】
踏み板の前段が毎回強制的に跳ね上げられ、後方の踵が相対的に圧下された後、平坦な状態に戻るという反復操作により、足首の後上方のストレッチ効果を発生させる。ベース及び２つの側板段に上に向けて延設される支持金具により、使用中にペダルセットの前段及び後段の可動挟み口がベースを地面に設置させる固定部材に近接しなくなり、ユーザーが挟まれて怪我をするのを防止する安全効果を達成することを特徴とする。
【００２４】
各駆動軸によりペダルセットの前側が駆動されて上下に擺動を行い、ユーザーの踵がペダルセットの後端に追従して回転されると踏み板の前段が強制的に跳ね上げられると共に、後方の踵が相対的に圧下され、脚のストレッチ効果が発生する。これにより、使用過程においてペダルセットの可動挟み口の保護効果が達成される。
【図面の簡単な説明】
【００２５】
【図１】本発明に係るストレッチ効果を有する歩行運動機器の改良構造を説明する分解概略図である。
【図２】本発明に係るストレッチ効果を有する歩行運動機器の改良構造の斜視図である。
【図３】本発明に係るストレッチ効果を有する歩行運動機器の改良構造の作動を例示する概略左側面図である。
【図４】本発明に係るストレッチ効果を有する歩行運動機器の改良構造の作動を例示する概略左側面図である。
【図５】本発明に係るストレッチ効果を有する歩行運動機器の改良構造の作動を例示する概略左側面図である。
【図６】本発明に係るストレッチ効果を有する歩行運動機器の改良構造の作動を例示する概略左側面図である。
【図７】ユーザが本発明に係るストレッチ効果を有する歩行運動機器の改良構造を座位の姿勢で操作する概略左側面図である。
【図８】ユーザが本発明に係るストレッチ効果を有する歩行運動機器の改良構造を座位の姿勢で操作する概略図である。
【図９】先行技術の概要を示す分解斜視図である。
【発明を実施するための形態】
【００２６】
本発明における好適な実施の形態について、添付図面を参照して説明する。以下に説明する実施の形態は、特許請求の範囲に記載された本発明の内容を限定するものではない。以下に説明される構成の全てが、本発明の必須要件であるとは限らない。
【実施例】
【００２７】
本発明実施形態のストレッチ効果を有する歩行運動機器の改良構造１００は、ベース１と、第一支持部材２と、第二支持部材３と、駆動輪セット４と、慣性輪セット５と、２本の駆動軸６と、２つの支持金具７と、２本のシャフト８と、２つのペダルセット９と、カバー１０と、を備える（図１及び図２参照）。
【００２８】
ベース１は、十字形状を呈し、長方形板段１１と、その左右に設ける２つの側板段１２を有する。２つの側板段１２は長方形板段１１の端部の一端から外に向けて延設される。
【００２９】
第一支持部材２は、ベース１の長方形板段１１の２つの側板段１２から離間する一端から上に向けて延設される。第一支持部材２は２枚の第一支持板２１及び第一枢軸２２を備える。２枚の第一支持板２１は相互に間隔を空けて設置される。第一枢軸２２は２枚の第一支持板２１の板面に直交して貫通する。第一枢軸２２には駆動輪セット４の軸心が枢着される。
【００３０】
第二支持部材３は、ベース１の長方形板段１１から上に向けて延設され、左側面視で、第一支持部材２と２つの側板段１２との間に位置され、正面視で、２つの側板段１２との間に位置される。第二支持部材３は２枚の第二支持板３１及び１本の第二枢軸３２を備える。２枚の第二支持板３１は相互に間隔を空けて設置される。第二枢軸３２は２枚の第二支持板３１を貫通させる。第二枢軸３２には慣性輪セット５の軸心が枢着される。
【００３１】
駆動輪セット４は第一支持部材２に枢動可能に連結される。駆動輪セット４は駆動輪４１及び２枚の回転板４２を備え、駆動輪４１は２枚の第一支持板２１の間に軸着される。２枚の回転板４２は、第一支持部材２の両側にそれぞれ軸着され、２本の駆動軸６は２枚の回転板４２にそれぞれ偏心するように連結される。カバー１０は、ベース１の上方に取り外せるように覆設され、第一支持部材２、第二支持部材３、駆動輪セット４、及び慣性輪セット５が被覆される。カバー１０には、２枚の回転板４２に対応する箇所に窓部１０１が設けられ、対応する回転板４２がそれぞれ外に露出されるように設置される。
【００３２】
慣性輪セット５は、第二支持部材３に枢動可能に連結され、駆動輪セット４に相互に噛合される。慣性輪セット５は駆動輪セット４により駆動されて回転を行う。
【００３３】
２本の駆動軸６は、駆動輪セット４の両側からそれぞれ外に向けて水平に延設され、各駆動軸６は偏心して設置される。２本の駆動軸６の軸方向の延伸線は駆動輪セット４の直径の両端に位置されると共に、平行に対応し合うように設けられる。
【００３４】
２つの支持金具７は、２つの側板段１２からそれぞれ上に向けて延伸され、独立して設置される。各支持金具７の上端は長さ方向に対して弧形の凸状構造を呈する。
【００３５】
２つのシャフト８は、水平に配置されて、２つの支持金具７の上部にそれぞれ貫設され、各シャフト８の軸方向は長方形板段１１の長さ方向に垂直になり、各シャフト８の両端は対応する支持金具７からそれぞれ外に向けて延出される。
【００３６】
各駆動軸６の両端及び各シャフト８の対応する支持金具７から突出する両端には共にベアリングＢが設置される。
【００３７】
２つのペダルセット９は、ベース１の長方形板段１１の両側にそれぞれ設置され、各ペダルセット９の底部の前側は対応する駆動軸６（ベアリングＢを有する部位）に滑動するように連結され、各ペダルセット９の底部の後側は対応するシャフト８の突出する両端（ベアリングＢを有する部位）に滑動するように連結される。
【００３８】
各ペダルセット９は、ボード部９１と、第一スロット９２と、第二スロット９３とを有する。第一スロット９２は、ボード部９１の底部の後部に設置され、第二スロット９３はボード部９１の底部の前部から中部に設置される。第一スロット９２には対応する駆動軸６が設置され、第二スロット９３には対応するシャフト８の両端が設置される。即ち、第一スロット９２は貫通溝を有し、対応する駆動軸６が貫設されると共にベアリングＢが設置されることにより、駆動軸６が対応する第一スロット９２の貫通溝内で枢動を行う。第二スロット９３は、２つの細長い溝体を有し、該溝体が対向するようにボード部９１の板方向に延び出し、相互に平行に設置されるものであり、該溝体に、対応するシャフト８の突出する両端（ベアリングＢを有する部位）がそれぞれ設置され、ボード部９１が各シャフト８に対して前後移動及び角度をつけて摺動を行う。
【００３９】
ボード部９１の上表面には複数の凸部９１１が敷設され、ユーザー２００の操作時に足裏に対するマッサージ効果を同時に発生させる。
【００４０】
図３乃至図６、及び、図７乃至図８を参照し、ユーザー２００が座った姿勢で、踵２１０がペダルセット９の後端に力をかけ、駆動輪４１を時計回り方向に回転させると、左側面から見た場合、左側の駆動軸６が駆動輪セット４の駆動に従ってユーザー２００に近接する箇所まで回転を行い、ペダルセット９の第二スロット９３が移動を行うと、右側の支持金具７のシャフト８が第二スロット９３の後側に位置される（図３参照）。
【００４１】
左側の駆動軸６が駆動輪セット４に従って駆動輪４１の軸心の下方まで回転を行い、ペダルセット９の第二スロット９３が移動を行うと、左側の支持金具７のシャフト８が第二スロット９３のほぼ中心付近の箇所に位置される（図４参照）。
【００４２】
左側の駆動軸６が駆動輪セット４に従ってユーザー２００から離間する箇所まで回転を行い、ペダルセット９の第二スロット９３が移動を行うと、左側の支持金具７のシャフト８が第二スロット９３の前側に位置される（図５参照）。  
【００４３】
左側の駆動軸６が駆動輪セット４に従って駆動輪４１の軸心の上方まで回転を行い、ペダルセット９の第二スロット９３が移動を行うと、右側の支持金具７のシャフト８が第二スロット９３のほぼ中心付近の箇所に位置される（図６参照）。
【００４４】
同様に、右側面から見た場合、上述の動作と反対になるため、再述は省く。
【００４５】
このようなサイクルにより、ユーザー２００は踵２１０でペダルセット９に力をかけると、図７、図８に示す通り、ボード部９１の前段が強制的に跳ね上げられると共に、後方の踵２１０が相対的に圧下され、ユーザー２００の脚２２０に対するストレッチ効果が発生する。その内部の伝導構造（駆動軸６、駆動輪セット４、慣性輪セット５、及びシャフト８等を含む。）は、カバー１０と接触して摩擦することはなく、ユーザー２００の操作に影響を与えず、騒音を発生させることもない。
【００４６】
上述の実施形態は本発明の技術思想及び特徴を説明するためのものにすぎず、当該技術分野を熟知する者に本発明の内容を理解させると共に、これをもって実施させることを目的とし、本発明の特許請求の範囲を限定するものではない。従って、本発明の精神を逸脱せずに行う各種の同様の効果をもつ改良又は変更等に係る実施態様は、後述の請求項に含まれるものとする。
【符号の説明】
【００４７】
１００…ストレッチ効果を有する歩行運動機器の改良構造  １…ベース  １１…長方形板段  １２…側板段  ２…第一支持部材  …２１  第一支持板  ２２…第一枢軸  ３…第二支持部材  ３１…第二支持板  ３２…第二枢軸  ４…駆動輪セット  ４１…駆動輪  ４２…回転板  ５…慣性輪セット  ６…駆動軸  ７…支持金具  ８…シャフト  ９…ペダルセット  ９１…ボード部  ９１１…凸部  ９２…第一スロット  ９３…第二スロット  １０…カバー  １０１…窓部  ２００…ユーザー  ２１０…踵  ２２０…脚  Ｂ…ベアリング
（図９に示す特許文献１の符号）
１３…ストレッチ効果を有する歩行運動機器の改良構造  １３１…ベース  １３１１…前横ロッド  １３１２…接合ロッド  １３１３…後横ロッド  １３２…支持部材  １３２１…第一支持部材  １３２２…シャフト  １３２３…スリーブ  １３３…駆動輪セット  １３３１…第二支持部材  １３３２…駆動ロッド  １３３３…駆動ギア  １３３４…連接棒  １３３５…回転ロッド  １３４…慣性輪セット  １３５…ペダルセット  １３６…カバー
【図１】
2019000648.tif 000003
【図２】
2019000648.tif 000004
【図３】
2019000648.tif 000005
【図４】
2019000648.tif 000006
【図５】
2019000648.tif 000007
【図６】
2019000648.tif 000008
【図７】
2019000648.tif 000009
【図８】
2019000648.tif 000010
【図９】
2019000648.tif 000011